(57)【要約】【課題】鞍乗型車両の前輪の幅寸法が小さかったり大きかったりして一定せず、また、車両質量が大きい場合でも、この車両を安定した直立の自立状態で駐車させる作業が、より確実にできるようにする。【解決手段】駐車装置１は、鞍乗型車両２の前輪７を保持して、この車両２を駐車対象面３上に自立状態で駐車可能とさせるものである。駐車装置１は、駐車対象面３上に固定可能とされる基台１２と、この基台１２に支持され、車両２の前方移動により基台１２に対する所定位置にまで転動した前輪７がそれ以上に前方に転動することを規制すると共に、この前輪７が後方に転動することを規制する規制体１３と、転動が規制された前輪７から入力される車両質量Ｆにより、前輪７を左右から挟んで直立状態に保持可能とするクランプ体１４とを備える。【選択図】図１
2008056013.tif 000002
【特許請求の範囲】
【請求項１】
鞍乗型車両の前輪を保持して、この車両を駐車対象面上に自立状態で駐車可能とさせる駐車装置であって、
上記駐車対象面上に固定可能とされる基台と、この基台に支持され、車両の前方移動により上記基台に対する所定位置にまで転動した上記前輪がそれ以上に前方に転動することを規制すると共に、この前輪が後方に転動することを規制する規制体と、上記転動が規制された前輪から入力される車両質量により、上記前輪を左右から挟んで直立状態に保持可能とするクランプ体とを備えたことを特徴とする駐車装置。
【請求項２】
上記転動が規制された前輪の回転中心よりも前方に、上記車両質量を入力する上記クランプ体の入力部を配置したことを特徴とする請求項１に記載の駐車装置。
【請求項３】
上記転動が規制された前輪から離れるよう上記クランプ体を付勢する付勢体を備えたことを特徴とする請求項１、もしくは２に記載の駐車装置。
【請求項４】
上記クランプ体が、前後方向に延びる軸心回りに回動可能となるよう上記基台に支持される左右一対の回動バーと、これら各回動バーからそれぞれ上方に向かって突出するクランプアームと、前後方向に沿った視線で見て、上記各回動バーから互いに対向するよう突出し、上記転動が規制された前輪を載置させて上記車両質量を入力する入力部とを備え、これら入力部に入力された上記車両質量により、上記各回動バーと共に上記各クランプアームが回動して上記前輪を左右から挟むようにしたことを特徴とする請求項１から３のうちいずれか１つに記載の駐車装置。
【請求項５】
上記クランプ体を断面円形材により形成したことを特徴とする請求項１から４のうちいずれか１つに記載の駐車装置。
【発明の詳細な説明】
【技術分野】
【０００１】
本発明は、自動二輪車や自動三輪車など鞍乗型車両の前輪を保持して、この車両を駐車対象面上に自立状態で駐車可能とさせる駐車装置に関するものである。
【背景技術】
【０００２】
上記駐車装置には、従来、下記特許文献１に示されるものがある。この公報のものによれば、上記駐車装置は、駐車対象面上に固定可能とされる基台と、この基台に支持され、二輪車の前方移動により上記基台に対する所定位置にまで転動してきた前輪の前、後部をそれぞれ嵌脱可能に嵌入させる前、後嵌入体とを備えている。
【０００３】
上記各嵌入体は、それぞれ平面視で上記前輪に向かって開口するコの字形状をなしている。具体的には、上記各嵌入体は、上記前輪の外周面と接して、この前輪の転動を防止する転動防止板と、この転動防止板の左右各側端縁から前輪の外側面に沿うよう突出して、この前輪の外側面と接することにより、この前輪が横方向に転倒することを防止する左右一対の転倒防止板とを備えている。
【０００４】
そして、上記前輪の前、後部を上記前、後嵌入体に嵌入させれば、これら各嵌入体と基台とにより、上記前輪は、その転動と横方向への転倒とが防止されるよう保持される。よって、この二輪車は駐車対象面上に自立状態で駐車可能とされる。
【特許文献１】特開２００６−６２５１７号公報
【発明の開示】
【発明が解決しようとする課題】
【０００５】
ところで、上記従来の技術では、各嵌入体の内幅寸法は所定値に定められている。このため、駐車させようとする二輪車の前輪の幅寸法が上記各嵌入体の内幅寸法に比べて、かなり小さい場合には、上記各嵌入体に嵌入された前輪にはがたつきが生じて転倒しがちとなる。そして、これは車両質量が大きい場合に特に顕著となる。よって、上記二輪車を、より安定した直立の自立状態で駐車させる、ということは困難になるおそれを生じる。
【０００６】
一方、上記各嵌入体の内幅寸法よりも上記前輪の幅寸法が大きい場合には、各嵌入体への前輪の嵌入ができないため、駐車そのものができなくなる。また、仮に、上記嵌入が可能であるとしても、上記各嵌入体の内幅寸法に対し前輪の幅寸法が近いとすると、上記嵌入作業をしようとする際には、上記各嵌入体に対する前輪の位置決め精度が要求されて、上記作業が煩雑となりがちである。つまり、二輪車を駐車させる際の作業が煩雑になるおそれを生じる。
【課題を解決するための手段】
【０００７】
本発明は、上記のような事情に注目してなされたもので、本発明の目的は、鞍乗型車両の前輪の幅寸法が小さかったり大きかったりして一定せず、また、車両質量が大きい場合でも、この車両を安定した直立の自立状態で駐車させる作業が、より確実にできるようにすることである。
【０００８】
また、特に、上記前輪の幅寸法が大きい場合でも、この車両を駐車させることができるようにし、かつ、車両を駐車させるための作業が容易にできるようにすることである。
【０００９】
請求項１の発明は、鞍乗型車両２の前輪７を保持して、この車両２を駐車対象面３上に自立状態で駐車可能とさせる駐車装置であって、
上記駐車対象面３上に固定可能とされる基台１２と、この基台１２に支持され、車両２の前方移動により上記基台１２に対する所定位置にまで転動した上記前輪７がそれ以上に前方に転動することを規制すると共に、この前輪７が後方に転動することを規制する規制体１３と、上記転動が規制された前輪７から入力される車両質量Ｆにより、上記前輪７を左右から挟んで直立状態に保持可能とするクランプ体１４とを備えたものである。
【００１０】
請求項２の発明は、請求項１の発明に加えて、上記転動が規制された前輪７の回転中心３６よりも前方に、上記車両質量Ｆを入力する上記クランプ体１４の入力部３４を配置したものである。
【００１１】
請求項３の発明は、請求項１、もしくは２の発明に加えて、上記転動が規制された前輪７から離れるよう上記クランプ体１４を付勢する付勢体１５を備えたものである。
【００１２】
請求項４の発明は、請求項１から３のうちいずれか１つの発明に加えて、上記クランプ体１４が、前後方向に延びる軸心３１回りに回動可能となるよう上記基台１２に支持される左右一対の回動バー３２，３２と、これら各回動バー３２からそれぞれ上方に向かって突出するクランプアーム３３と、前後方向に沿った視線で見て、上記各回動バー３２から互いに対向するよう突出し、上記転動が規制された前輪７を載置させて上記車両質量Ｆを入力する入力部３４とを備え、これら入力部３４に入力された上記車両質量Ｆにより、上記各回動バー３２と共に上記各クランプアーム３３が回動して上記前輪７を左右から挟むようにしたものである。
【００１３】
請求項５の発明は、請求項１から４のうちいずれか１つの発明に加えて、上記クランプ体１４を断面円形材により形成したものである。
【００１４】
なお、この項において、上記各用語に付記した符号は、本発明の技術的範囲を後述の「実施例」の項や図面の内容に限定解釈するものではない。
【発明の効果】
【００１５】
本発明による効果は、次の如くである。
【００１６】
請求項１の発明は、鞍乗型車両の前輪を保持して、この車両を駐車対象面上に自立状態で駐車可能とさせる駐車装置であって、
上記駐車対象面上に固定可能とされる基台と、この基台に支持され、車両の前方移動により上記基台に対する所定位置にまで転動した上記前輪がそれ以上に前方に転動することを規制すると共に、この前輪が後方に転動することを規制する規制体と、上記転動が規制された前輪から入力される車両質量により、上記前輪を左右から挟んで直立状態に保持可能とするクランプ体とを備えている。
【００１７】
このため、上記駐車装置により車両を駐車させる作業をする場合には、まず、上記基台の所定位置の後方からこの所定位置にまで車両を前方移動させる。すると、この車両の前輪は、上記規制体により前方や後方に転動することが規制される。
【００１８】
また、上記のように転動が規制された前輪からの車両質量に基づいて、この前輪は左右からクランプ体により挟まれる。この場合、前輪の幅寸法が小さかったり大きかったりして一定しないとしても、これら各前輪はそれぞれ左右からクランプ体により挟まれて直立状態に保持され、これにより、車両は直立状態で駐車させられる。しかも、この場合、車両の全質量が大きいほど上記クランプ体に入力される車両質量が大きくなり、これに伴い上記クランプ体が前輪を挟み付ける力も大きくなる。
【００１９】
この結果、鞍乗型車両の前輪の幅寸法が一定せず、また、車両質量が大きい場合でも、この車両を安定した直立の自立状態で駐車させることが、より確実にできる。
【００２０】
また、上記したように、駐車装置による車両の駐車は、前輪を左右からクランプ体で挟むことにより達成される。
【００２１】
このため、上記車両を駐車させようとする場合、その当初に、この車両の前輪を受け入れ可能とする上記クランプ体の受入空間の内幅寸法は、予め十分に大きくさせておくことができる。よって、上記前輪の幅寸法が大きいとしても、上記受入空間内への前輪の転動が可能となり、かつ、このように受入空間内に前輪を転動させようとする際の上記受入空間に対する前輪の位置決め精度は低くて足りる。
【００２２】
この結果、上記前輪の幅寸法が大きい場合でも、この車両を駐車させることができ、かつ、車両を駐車させるための作業が容易にできる。
【００２３】
請求項２の発明は、上記転動が規制された前輪の回転中心よりも前方に、上記車両質量を入力する上記クランプ体の入力部を配置している。
【００２４】
このため、上記基台の所定位置に向かって前輪を前方に転動させる際、それ以上の前方への転動が上記規制体により規制され始める直前のタイミングで、上記前輪から上記入力部に対し車両質量が入力されて、上記前輪がクランプ体により挟み付けられる。
【００２５】
よって、仮に、前輪の転動が規制体により規制され始める以前の早いタイミングで、上記前輪がクランプ体により挟み付けられ、そこから上記前輪の円滑な転動が阻害される、ということに比べて、上記発明によれば、基台の所定位置に至るまでの前輪の転動はより円滑になされる。この結果、車両を駐車させるための作業がより容易にできる。
【００２６】
請求項３の発明は、上記転動が規制された前輪から離れるよう上記クランプ体を付勢する付勢体を備えている。
【００２７】
このため、上記基台の所定位置に向かって前輪を前方に転動させる際、この前輪に対しクランプ体が干渉する、ということは防止される。よって、その分、車両を駐車させるための作業がより容易にできる。
【００２８】
一方、上記駐車装置により駐車させた車両を基台の所定位置から離脱させる作業をして駐車を解除させる場合には、例えば、この作業は次のようにすることができる。
【００２９】
即ち、まず、駐車装置の前部を少し持ち上げる。すると、上記クランプ体に対する前輪からの車両質量の入力が解除されるため、上記付勢体により前輪からクランプ体が自動的に離される。そこで、このクランプ体からの外力の影響を受けずに、上記車両を後方移動させて上記基台の所定位置から離れさせる。これにより、駐車装置による車両の自立状態が軽快に解除されて、車両の駐車が解除される。よって、この駐車の解除も簡単な作業によって、容易にできる。
【００３０】
請求項４の発明は、上記クランプ体が、前後方向に延びる軸心回りに回動可能となるよう上記基台に支持される左右一対の回動バーと、これら各回動バーからそれぞれ上方に向かって突出するクランプアームと、前後方向に沿った視線で見て、上記各回動バーから互いに対向するよう突出し、上記転動が規制された前輪を載置させて上記車両質量を入力する入力部とを備え、これら入力部に入力された上記車両質量により、上記各回動バーと共に上記各クランプアームが回動して上記前輪を左右から挟むようにしている。
【００３１】
ここで、上記回動バー、クランプアーム、および入力部は、構成が機械的で簡素なものであるため、駐車装置は構成簡単であり、その成形が容易にできるなど好ましい。
【００３２】
請求項５の発明は、上記クランプ体を断面円形材により形成している。
【００３３】
このため、上記クランプ体の外面が滑らかであることから、このクランプ体の外面に接触する前輪に対する摩擦力が小さく抑制される。よって、その分、車両を駐車させるための作業やこの駐車を解除させるための作業は円滑かつ容易にできる。また、上記摩擦力が小さく抑制される分、クランプ体との接触による前輪の無用な損傷が防止される。
【発明を実施するための最良の形態】
【００３４】
本発明の駐車装置に関し、鞍乗型車両の前輪の幅寸法が一定せず、また、車両質量が大きい場合でも、この車両を安定した直立の自立状態で駐車させる作業が、より確実にできるようにする、という目的を実現するため、本発明を実施するための最良の形態は、次の如くである。
【００３５】
即ち、駐車装置は、鞍乗型車両の前輪を保持して、この車両を駐車対象面上に自立状態で駐車可能とさせるものである。この駐車装置は、上記駐車対象面上に固定可能とされる基台と、この基台に支持され、車両の前方移動により上記基台に対する所定位置にまで転動した上記前輪がそれ以上に前方に転動することを規制すると共に、この前輪が後方に転動することを規制する規制体と、上記転動が規制された前輪から入力される車両質量により、上記前輪を左右から挟んで直立状態に保持可能とするクランプ体とを備えている。
【実施例】
【００３６】
本発明をより詳細に説明するために、その実施例を添付の図に従って説明する。
【００３７】
図において、符号１は駐車装置であり、この駐車装置１は鞍乗型車両２を駐車対象面３上に自立状態で駐車可能とさせるものである。また、説明の便宜上、矢印Ｆｒの方向を前方として、以下説明する。
【００３８】
上記車両２は、自動二輪車、自動三輪車、および自転車などであり、図では自動二輪車を例示している。この車両２は、車体５と、この車体５の前端部に操向可能に支持されるフロントフォーク６と、このフロントフォーク６の下端部に支持される前輪７と、上記車体５の後端部に支持される不図示の後輪と、上記フロントフォーク６の上端部に支持されるハンドル８とを備えている。上記前輪７と後輪とにより車体５が駐車対象面３上に支持可能とされる。
【００３９】
上記駐車装置１は、上記駐車対象面３上にアンカーボルトなどの固定具１１により固定可能とされる基台１２と、この基台１２に支持され車両２の前方移動により上記基台１２に対する所定位置にまで転動した上記前輪７のそれ以上の前方への転動を規制すると共に、この前輪７の後方への転動を規制する規制体１３とを備えている。ここで、上記基台１２に対する“所定位置”とは、具体的には、この基台１２の上方域（基台１２上）である。
【００４０】
また、上記駐車装置１は、上記転動が規制された前輪７から入力される車両２の全質量の一部である車両質量Ｆにより、上記前輪７の下部を左右から挟んで自立状態に保持可能とするクランプ体１４と、上記前輪７から各外側方に上記クランプ体１４が離れるようこのクランプ体１４を弾性的に付勢する左右一対の付勢体１５，１５とを備えている。上記駐車装置１は、前後方向かつ鉛直方向に延びる仮想中心面１６を基準として、左右対称形とされている。
【００４１】
上記基台１２は、上記駐車対象面３上に設置される基台本体１９と、この基台本体１９に固着されて上記駐車対象面３上に設置され、この駐車対象面３に対し上記固定具１１により固定される前、後固定板２０，２１とを備えている。
【００４２】
上記基台本体１９は、長尺で断面円形のパイプ材を駐車装置１の平面視で矩形枠状に屈曲することにより形成されたものである。具体的には、上記基台本体１９は、前後方向に延びる左右一対の側部パイプ２２，２２と、これら各側部パイプ２２の前端部からそれぞれ上方に延出する左右一対の縦向きパイプ２３，２３と、これら各縦向きパイプ２３，２３の延出端部同士を結合する前部パイプ２４と、上記各側部パイプ２２の後端部同士を結合する後部パイプ２５とを備えている。上記各側部パイプ２２と後部パイプ２５とは上記駐車対象面３に接合させられている。また、前記前、後固定板２０，２１は、上記左右側部パイプ２２，２２の前、後部に架設され、上記駐車対象面３に接合させられている。
【００４３】
前記規制体１３は、上記基台１２上にまで転動した上記前輪７がそれ以上に前方に転動することを規制する左右一対の前規制部材２８，２８と、上記基台１２上にまで転動した上記前輪７が後方に転動することを規制する後規制部材２９とを備えている。
【００４４】
上記各前規制部材２８は断面円形のパイプ材により形成されている。これら各前規制部材２８は上記基台本体１９の前部パイプ２４から一旦後方に延出した後、下方に延出してその延出端部が上記前固定板２０に固着されている。上記左右前規制部材２８，２８は、上記前部パイプ２４から後方に進むに従い左右に互いに離れるよう形成されている。また、上記後規制部材２９は、上記仮想中心面１６上に配置され、駐車装置１の側面視で、上記基台本体１９の後部パイプ２５を跨ぐ台形状の板材により形成されている。上記後規制部材２９の前端部は上記後固定板２１に固着され、後端部は上記駐車対象面３に接合させられている。
【００４５】
前記クランプ体１４は、上記駐車対象面３の上方近傍に位置して前後方向に延びる軸心３１を有する左右一対の回動バー３２，３２を備えている。これら各回動バー３２は、それぞれその軸心３１回りに回動可能となるよう上記各前規制部材２８の下部と基台本体１９の後部パイプ２５とに架設されている。また、上記クランプ体１４は、上記各回動バー３２の後部からそれぞれ上方かつ外側方に向かうよう傾斜方向に突出する各クランプアーム３３と、前後方向に沿った視線で見て（図４）、上記各回動バー３２の前部からそれぞれ互いに対向するよう突出し、上記規制体１３により転動が規制された前輪７を載置させて、上記車両質量Ｆを入力する各入力部３４とを備えている。
【００４６】
駐車装置１の平面視（図１）で、上記左右回動バー３２，３２と、左右クランプアーム３３，３３とは、上記後規制部材２９を左右から挟むよう配置されている。上記左右回動バー３２，３２と、左右クランプアーム３３，３３との各間には、その後方から上記前輪７を受け入れ可能とする受入空間３５が形成されている。また、上記各入力部３４の突出端同士は、突き合わせ状に互いに接近させられている。
【００４７】
上記各回動バー３２と各クランプアーム３３とは、それぞれ断面円形のパイプ材により形成されている。また、上記各入力部３４は断面円形の金属製棒材により形成されている。前記各付勢体１５は、コイルばねにより形成され、上記回動バー３２の後端部に巻装されている。
【００４８】
上記規制体１３により転動が規制された前輪７の回転中心３６は、上記規制体１３の前規制部材２８と後規制部材２９との間に配置されている。また、上記前輪７の回転中心３６よりも前方に、上記車両質量Ｆを入力する上記クランプ体１４の各入力部３４が配置されている。そして、上記前輪７は、上記規制体１３の後規制部材２９と上記クランプ体１４の各入力部３４とにより前後２点で支持可能とされている。
【００４９】
上記駐車装置１により車両２を駐車させる際の作業につき、説明する。
【００５０】
まず、上記駐車装置１の基台１２の後方で、車両２のハンドル８を把持してこのハンドル８を前方に押動する。すると、車両２の前輪７が転動して車両２が前方移動させられる。そして、この車両２の前輪７が上記後規制部材２９を乗り越えて、上記受入空間３５内に向かうよう車両２を前方移動させる。上記後規制部材２９への前輪７の乗り越えを終えたとき、車両２はそのときの慣性力で前方に向かって更に移動しがちとなる。
【００５１】
しかし、上記前輪７は、一旦、上記前規制部材２８に当接することによりそれ以上に前方に転動することが規制され、車両２の前方移動が規制される。この場合、前輪７の前端部は上記左右前規制部材２８，２８間に嵌入させられて、仮想中心面１６上に向かうよう案内され、この仮想中心面１６上に位置決めされる。一方、上記のように後規制部材２９を乗り越えた前輪７が後方に転動しようとすることは、上記規制体１３の後規制部材２９により規制され、車両２の後方移動が規制される。これにより、上記前輪７は、上記基台１２に対する所定位置、つまり、基台１２上にまで転動したこととされる。
【００５２】
上記基台１２上の前輪７の回転中心３６は、前後方向で、上記規制体１３の後規制部材２９と上記クランプ体１４の各入力部３４との間に配置される。そして、上記前輪７は、上記規制体１３の後規制部材２９と上記クランプ体１４の各入力部３４とにより前後２点で支持される。
【００５３】
上記したように前輪７は上記各入力部３４上に載置されている。このため、各入力部３４は、上記前輪７から入力される車両質量Ｆにより、上記各軸心３１回りで上記各回動バー３２を伴い下方回動Ａさせられる。すると、これら各回動バー３２に連動する各クランプアーム３３が上記前輪７の各外側面に圧接するまで内方回動Ｂし、この前輪７の下部を左右から挟み付ける。この場合、この前輪７の幅寸法が小さかったり大きかったりして一定しないとしても、上記したように、各クランプアーム３３は上記前輪７の各外側面に圧接するまでそれぞれ内方回動Ｂし、このため、上記前輪７の下部は上記左右クランプアーム３３，３３により、確実に挟み付けられる。
【００５４】
そして、上記各クランプアーム３３による挟み付けにより、上記前輪７は直立状態に保持される。これにより、上記車両２は駐車装置１により直立の自立状態で駐車させられる。しかも、この場合、車両２の全質量が大きいほど上記各入力部３４に入力される車両質量Ｆが大きくなり、これに伴い、上記左右クランプアーム３３，３３が前輪７を挟み付ける力も大きくなる。
【００５５】
この結果、鞍乗型車両２の前輪７の幅寸法が一定せず、また、車両質量Ｆが大きい場合でも、この車両２を安定した直立の自立状態で駐車させることが、より確実にできる。
【００５６】
また、上記したように、駐車装置１による車両２の駐車は、前輪７を左右からクランプアーム３３，３３で挟むことにより達成される。
【００５７】
このため、上記車両２を駐車させようとする場合、その当初に、この駐車装置１の前輪７を受け入れ可能とする上記クランプ体１４の受入空間３５の内幅寸法は、予め十分に大きくさせておくことができる。よって、上記前輪７の幅寸法が大きいとしても、上記受入空間３５内への前輪７の転動が可能となり、かつ、このように受入空間３５内に前輪７を転動させようとする際の上記受入空間３５に対する前輪７の位置決め精度は低くて足りる。
【００５８】
この結果、上記前輪７の幅寸法が大きい場合でも、この車両２を駐車させることができ、かつ、車両２を駐車させるための作業が容易にできる。
【００５９】
一方、上記のように駐車させた車両２を駐車装置１から離脱させて駐車を解除させる際の作業は、次のようになされる。
【００６０】
まず、上記車両２のハンドル８を把持してこのハンドル８を後方に引き戻る。すると、車両２の前輪７が後方に転動して、車両２が後方移動させられる。そして、この車両２の前輪７が上記後規制部材２９を後方に乗り越えるとき、上記各入力部３４に対する前輪７からの車両質量Ｆの入力が解除される。このため、上記付勢体１５の付勢力により前輪７から各クランプアーム３３が自動的に離される。これにより、車両２の駐車装置１による自立状態が解除されて、車両２の駐車が解除される。
【００６１】
また、前記したように、転動が規制された前輪７の回転中心３６よりも前方に、上記車両質量Ｆを入力する上記クランプ体１４の入力部３４を配置している。
【００６２】
このため、上記基台１２上に向かって前輪７を前方に転動させる際、それ以上の前方への転動が上記規制体１３により規制され始める直前のタイミングで、上記前輪７から上記入力部３４に対し車両質量Ｆが入力されて、上記前輪７が上記左右クランプアーム３３，３３により挟み付けられる。
【００６３】
よって、仮に、前輪７の転動が規制体１３により規制され始める以前の早いタイミングで、上記前輪７が左右クランプアーム３３，３３により挟み付けられ、そこから上記前輪７の円滑な転動が阻害される、ということに比べて、上記構成によれば、基台１２の所定位置に至るまでの前輪７の転動はより円滑になされる。この結果、車両２を駐車させるための作業がより容易にできる。
【００６４】
また、前記したように、転動が規制された前輪７から離れるよう上記クランプ体１４を付勢する付勢体１５を備えている。
【００６５】
このため、上記基台１２上に向かって前輪７を前方に転動させる際、この前輪７に対しクランプ体１４が干渉する、ということは防止される。よって、その分、車両２を駐車させるための作業がより容易にできる。
【００６６】
一方、上記駐車装置１により駐車させた車両２を基台１２の所定位置から離脱させる作業をして駐車を解除させる場合には、例えば、この作業は次のようにすることができる。
【００６７】
即ち、上記ハンドル８を把持して、まず、駐車装置１の前部を少し持ち上げる。すると、上記各入力部３４に対する前輪７からの車両質量Ｆの入力が解除されるため、上記付勢体１５により前輪７から各クランプアーム３３が自動的に離される。そこで、このクランプ体１４からの外力の影響を受けずに、上記車両２を後方移動させて上記基台１２の所定位置から離れさせる。これにより、駐車装置１による車両の自立状態が軽快に解除されて、車両２の駐車が解除される。よって、この駐車の解除も簡単な作業によって、容易にできる。
【００６８】
また、前記したように、クランプ体１４が、前後方向に延びる軸心３１回りに回動可能となるよう上記基台１２に支持される左右一対の回動バー３２，３２と、これら各回動バー３２からそれぞれ上方に向かって突出するクランプアーム３３と、前後方向に沿った視線で見て、上記各回動バー３２から互いに対向するよう突出し、上記転動が規制された前輪７を載置させて上記車両質量Ｆを入力する入力部３４とを備え、これら入力部３４に入力された上記車両質量Ｆにより、上記各回動バー３２と共に上記各クランプアーム３３が回動して上記前輪７を左右から挟むようにしている。
【００６９】
ここで、上記回動バー３２、クランプアーム３３、および入力部３４は、構成が機械的で簡素なものであるため、駐車装置１は構成簡単であり、その成形が容易にできるなど好ましい。
【００７０】
また、前記したように、クランプ体１４を断面円形材により形成している。
【００７１】
このため、上記クランプ体１４の外面が滑らかであることから、このクランプ体１４の外面に接触する前輪７に対する摩擦力が小さく抑制される。よって、その分、車両２を駐車させるための作業やこの駐車を解除させるための作業は円滑かつ容易にできる。また、上記摩擦力が小さく抑制される分、クランプ体１４との接触による前輪７の無用な損傷が防止される。
【００７２】
なお、図３中、二点鎖線で示すように、前輪７の径寸法が小さい場合には、この前輪７は前規制部材２８と後規制部材２９との間における基台１２上で、前後方向への自由な転動が少し可能とされている。また、図４中、二点鎖線で示すように、各入力部３４は、その突出方向に向かうに従い上方に少し傾斜させてもよい。
【００７３】
また、以上は図示の例によるが、上記基台１２に対する所定位置とは、この基台１２の後方や外側方域など外方域であってもよい。また、上記後規制部材２９は、駐車装置１の側面視で、不等辺三角形状であってもよく、上方に突出する円弧形状であってもよい。また、上記クランプ体１４の左右クランプアーム３３，３３は、これに代えて、互いに接近、離反可能なように左右に平行移動する左右クランプ部材であってもよい。
【００７４】
また、上記各入力部３４は、その各突出方向に向かうに従い下方に少し傾斜させてもよい。また、上記左右入力部３４，３４は、前後に並設されるものであってもよく、この場合、前後方向に沿った視線で見て（図４）、上記各入力部３４の突出端同士を互いに重ね合わせるようにしてもよい。
【図面の簡単な説明】
【００７５】
【図１】駐車装置の平面図である。
【図２】駐車装置により車両を駐車させた状態の側面図である。
【図３】駐車装置の側面図である。
【図４】図３のIV−IV線矢視断面図である。
【図５】駐車装置の斜視図である。
【符号の説明】
【００７６】
１    駐車装置
２    車両
３    駐車対象面
７    前輪
１１  固定具
１２  基台
１３  規制体
１４  クランプ体
１５  付勢体
１６  仮想中心面
２８  前規制部材
２９  後規制部材
３１  軸心
３２  回動バー
３３  クランプアーム
３４  入力部
３５  受入空間
３６  回転中心
Ａ    下方回動
Ｂ    内方回動
Ｆ    車両質量
【図１】
2008056013.tif 000003
【図２】
2008056013.tif 000004
【図３】
2008056013.tif 000005
【図４】
2008056013.tif 000006
【図５】
2008056013.tif 000007